(57)【要約】【課題】乾燥対象物の全体を確実に乾燥させることができる浴室暖房乾燥装置を提供する。【解決手段】第１送風口４と、吸入口３と、吸入口３の近傍に設けられて浴室Ｂ内の温湿度と大気圧を測定する第１測定部３ａと、第１送風口４よりも下方に設けられて送風部６から送風された空気を浴室Ｂ内に供給する第２送風口２０と、第２送風口２０の近傍に設けられて温湿度と大気圧を測定する第２測定部２１ｂ，２２ｂ，２３ｂと、送風部６から第１送風口４に向けて形成される第１風路１８と、送風部６から第２送風口２０に向けて形成される第２風路２４と、第１風路１８に設けられた第１風路開閉機構４ａと、第２風路２４に設けられた第２風路開閉機構２５と、各測定部３ａ，２１ｂ，２２ｂ，２３ｂにおける絶対湿度を算出する演算部と、演算部で算出された絶対湿度に基づいて、第１風路開閉機構４ａ及び第２風路開閉機構２５を制御する制御部と、を備えている。【選択図】図２
2020151098.tif 000002
【特許請求の範囲】
【請求項１】
浴室内の空気を外部に排出して換気を行う換気運転と、前記浴室内から吸入した空気を加熱して前記浴室内の乾燥対象物を乾燥させるために前記浴室内に送風する乾燥運転と、を実行可能な制御部を備えた浴室暖房乾燥装置であって、
前記浴室内の空気を加熱する加熱部と、
前記加熱部によって加熱された空気を前記浴室内に向けて送風する送風部と、
前記浴室の上部に設けられて前記送風部から送風された空気を前記浴室内に供給する第１送風口と、
前記浴室の上部に設けられて前記浴室内の空気を前記加熱部に向けて吸入する吸入口と、
前記吸入口の近傍に設けられて前記浴室内の温湿度と大気圧を測定する第１測定部と、
前記浴室の側壁において前記第１送風口よりも下方に配置されて前記送風部から送風された空気を前記浴室内に供給する第２送風口と、
前記送風部から前記第１送風口に向けて形成される第１風路と、
前記送風部から前記第２送風口に向けて形成される第２風路と、
前記第１風路に設けられた第１風路開閉機構と、
前記第２風路に設けられた第２風路開閉機構と、
前記第１測定部において測定された温湿度及び大気圧に基づいて絶対湿度を算出する演算部と、を備え、
前記制御部は、前記演算部で算出された第１測定部における絶対湿度に基づいて、前記第１風路開閉機構及び前記第２風路開閉機構を制御する浴室暖房乾燥装置。
【請求項２】
前記制御部は、前記第１送風口による前記浴室内への空気の供給と前記吸入口による前記浴室内の空気の吸入とが実行されている状態において、前記第１測定部における絶対湿度の変化率が所定値未満のときに、前記第２送風口から送風されるよう前記第２風路開閉機構を開状態に制御する請求項１に記載の浴室暖房乾燥装置。
【請求項３】
前記第２送風口は、高さの異なる複数の送風口を有し、
前記複数の送風口は前記第２風路から分岐して設けられ前記第２風路開閉機構の一部として構成される送風口開閉機構を夫々有し、
前記複数の送風口の近傍に温湿度と大気圧を測定する第２測定部が夫々設けられ、
前記制御部は、前記複数の送風口において高さ方向に隣接する２つの送風口のうち上方側の送風口による前記浴室内への空気の供給と、前記吸入口による前記浴室内の空気の吸入とが実行されている状態において、前記第１測定部における絶対湿度と上方側の前記第２測定部における絶対湿度との差が所定値未満であるときに、上方側の送風口からの送風を停止し下方側の送風口から送風されるように夫々の前記送風口開閉機構の開閉を制御する請求項１又は２に記載の浴室暖房乾燥装置。
【請求項４】
前記第１送風口の近傍に設けられて温湿度と大気圧を測定する第３測定部を備え、
前記演算部は、前記第３測定部において測定された温湿度及び大気圧に基づいて第３測定部における絶対湿度を算出し、
前記制御部は、前記第１送風口による前記浴室内への空気の供給と前記吸入口による前記浴室内の空気の吸入とが実行されている状態において、前記第１測定部における絶対湿度と前記第３測定部における絶対湿度との差が所定値未満のときに、前記第２送風口から送風されるよう前記第２風路開閉機構を開状態に制御する請求項１から３のいずれか一項に記載の浴室暖房乾燥装置。
【請求項５】
表示部を有し、前記換気運転及び前記乾燥運転の操作が可能な操作部を備え、
前記演算部は、前記第１測定部における絶対湿度及び前記第２測定部における絶対湿度に基づいて前記浴室内の乾燥対象物の乾燥率を推定可能であり、
前記操作部は、前記表示部に前記乾燥率を表示可能に構成されている請求項１から４のいずれか一項に記載の浴室暖房乾燥装置。
【請求項６】
前記操作部は、外部ネットワークを介して前記乾燥率のデータを通信端末に対して送信可能に構成されている請求項５に記載の浴室暖房乾燥装置。
【請求項７】
前記換気運転及び前記乾燥運転の運転時間の設定が可能なタイマを備え、
前記制御部は、前記タイマに設定された時間内に前記乾燥率に基づいて前記乾燥対象物の乾燥が完了したと判定した場合に、前記換気運転及び前記乾燥運転を停止する請求項５又は６に記載の浴室暖房乾燥装置。
【発明の詳細な説明】
【技術分野】
【０００１】
本発明は、浴室暖房乾燥装置に関する。
【背景技術】
【０００２】
浴室内の暖房、換気、及び、乾燥や、浴室内に干される乾燥対象物である洗濯物を乾燥させるために使用される浴室暖房乾燥機が知られている（例えば、特許文献１参照）。特許文献１に記載の浴室暖房乾燥機の場合、一定時間毎に浴室内の温度及び湿度を計測し、衣類の乾きやすさの指標である乾燥性能積分値を算出し、乾燥性能積分値から衣類乾燥率を推定している。こうして推定された衣類乾燥率に基づいて乾燥対象物が乾燥されたか否かを判定することで、乾燥対象物の重量等の違いによる乾燥完了判定のばらつきを抑制している。
【先行技術文献】
【特許文献】
【０００３】
【特許文献１】特開２０１４−７６２８３号公報
【発明の概要】
【発明が解決しようとする課題】
【０００４】
特許文献１の技術の場合、浴室内の温度及び湿度を計測し、乾燥性能を積分することで衣類乾燥率を推定している。この場合、乾燥性能積分値が一定時間以上同じ値となると、衣類乾燥率は１００％であると推定されて乾燥対象物の乾燥が完了したと判定される。しかしながら、浴室において衣類等の洗濯物の乾燥を行う場合には、浴室の上部に配置される浴室暖房乾燥機の近傍から洗濯物の乾燥が始まる。このため、洗濯物において上部の乾燥は完了しても、下部が十分に乾燥されていないことがある。
【０００５】
そこで、本発明は上述の課題に鑑みてなされたものであり、本発明では、乾燥対象物の全体を確実に乾燥させることができる浴室暖房乾燥装置を提供することを目的とする。
【課題を解決するための手段】
【０００６】
本発明に係る浴室暖房乾燥装置は、浴室内の空気を外部に排出して換気を行う換気運転と、前記浴室内から吸入した空気を加熱して前記浴室内の乾燥対象物を乾燥させるために前記浴室内に送風する乾燥運転と、を実行可能な制御部を備えた浴室暖房乾燥装置であって、その特徴構成は、
前記浴室内の空気を加熱する加熱部と、
前記加熱部によって加熱された空気を前記浴室内に向けて送風する送風部と、
前記浴室の上部に設けられて前記送風部から送風された空気を前記浴室内に供給する第１送風口と、
前記浴室の上部に設けられて前記浴室内の空気を前記加熱部に向けて吸入する吸入口と、
前記吸入口の近傍に設けられて前記浴室内の温湿度と大気圧を測定する第１測定部と、
前記浴室の側壁において前記第１送風口よりも下方に配置されて前記送風部から送風された空気を前記浴室内に供給する第２送風口と、
前記送風部から前記第１送風口に向けて形成される第１風路と、
前記送風部から前記第２送風口に向けて形成される第２風路と、
前記第１風路に設けられた第１風路開閉機構と、
前記第２風路に設けられた第２風路開閉機構と、
前記第１測定部において測定された温湿度及び大気圧に基づいて絶対湿度を算出する演算部と、を備え、
前記制御部は、前記演算部で算出された第１測定部における絶対湿度に基づいて、前記第１風路開閉機構及び前記第２風路開閉機構を制御する点にある。
【０００７】
本特徴構成によれば、乾燥運転を選択した場合、加熱部と送風部が作動し、加熱空気を浴室内に投入する。また換気運転によって排気部を作動させることで、浴室内の空気を外部へ排出することができる。浴室内の吸入口において測定される温湿度及び大気圧に基づいて、浴室内の絶対湿度を算出する。このようにして浴室内の絶対湿度を継時的に計測し、例えば浴室内の絶対湿度の変化が少ない場合や絶対湿度が所定以下の場合等において、第２風路開閉機構を開状態にして第２送風口からも浴室内に空気を投入させることができる。これにより、乾燥対象物の下部に対して第２送風口からの送風されることになるため、乾燥対象物の下部においても乾燥が促進される。その結果、乾燥対象物を全体的に確実に乾燥させることができる。
【０００８】
本発明に係る浴室暖房乾燥装置の更なる特徴構成は、
前記制御部は、前記第１送風口による前記浴室内への空気の供給と前記吸入口による前記浴室内の空気の吸入とが実行されている状態において、前記第１測定部における絶対湿度の変化率が所定値未満のときに、前記第２送風口から送風されるよう前記第２風路開閉機構を開状態に制御する点にある。
【０００９】
本特徴構成によれば、浴室暖房乾燥装置の吸入口における絶対湿度の変化率をパラメータとし、その変化率が所定値未満のときに、第１送風口よりも下方に設けられた第２送風口より空気を送風することができる。絶対湿度の変化率の所定値を乾燥対象物の乾燥が完了したと認定できる値に設定することで、絶対湿度の変化率が所定値未満になった際に、浴室の吸入口近くに位置する乾燥対象物の上部の乾燥が完了したことを推定することができる。その後に、第２風路開閉機構を開状態に制御することで、第１送風口よりも下方に位置する第２送風口から乾燥対象物に対して送風を行うことができるため、乾燥対象物の下部の乾燥を確実に促進させることができる。
【００１０】
本発明に係る浴室暖房乾燥装置の更なる特徴構成は、
前記第２送風口は、高さの異なる複数の送風口を有し、
前記複数の送風口は前記第２風路から分岐して設けられ前記第２風路開閉機構の一部として構成される送風口開閉機構を夫々有し、
前記複数の送風口の近傍に温湿度と大気圧を測定する第２測定部が夫々設けられ、
前記制御部は、前記複数の送風口において高さ方向に隣接する２つの送風口のうち上方側の送風口による前記浴室内への空気の供給と、前記吸入口による前記浴室内の空気の吸入とが実行されている状態において、前記第１測定部における絶対湿度と上方側の前記第２測定部における絶対湿度との差が所定値未満であるときに、上方側の送風口からの送風を停止し下方側の送風口から送風されるように夫々の前記送風口開閉機構の開閉を制御する点にある。
【００１１】
本特徴構成によれば、第２送風口が複数の送風口を有する場合、高さ方向に隣接する２つの送風口のうち上方側の送風口の第２測定部の測定値に基づく絶対湿度と、吸入口近くの第１測定部の測定値に基づく絶対湿度とを比較する。この比較結果より、絶対湿度の差が所定値未満の場合は、高さ方向に隣接する２つの送風口のうち上方側の送風口の送風口開閉機構を閉状態にして下方側の送風口の送風口開閉機構を開状態にする。これにより、乾燥対象物の下部に向けて順に送風を行うことができるので、乾燥対象物の下部の乾燥をより一層促進させることができる。
【００１２】
本発明に係る浴室暖房乾燥装置の更なる特徴構成は、
前記第１送風口の近傍に設けられて温湿度と大気圧を測定する第３測定部を備え、
前記演算部は、前記第３測定部において測定された温湿度及び大気圧に基づいて第３測定部における絶対湿度を算出し、
前記制御部は、前記第１送風口による前記浴室内への空気の供給と前記吸入口による前記浴室内の空気の吸入とが実行されている状態において、前記第１測定部における絶対湿度と前記第３測定部における絶対湿度との差が所定値未満のときに、前記第２送風口から送風されるよう前記第２風路開閉機構を開状態に制御する点にある。
【００１３】
本特徴構成によれば、吸入口近くの第１測定部の測定値に基づく絶対湿度と、第１送風口近くの第３測定部の測定値に基づく絶対湿度を比較する。この比較結果より、絶対湿度の差が所定値未満の場合は、第２風路開閉機構を開状態にして第２送風口より加熱空気を投入することができる。所定値を乾燥対象物の乾燥が完了したと認定できる値に設定することで、浴室の第１送風口近くにおいて乾燥対象物の乾燥が完了したことを推定することができる。また、その結果に基づいて、第１送風口よりも下方に位置する第２送風口から乾燥対象物に向けて送風を行うことができるので、乾燥対象物の下部の乾燥を確実に促進させることができる。
【００１４】
本発明に係る浴室暖房乾燥装置の更なる特徴構成は、
表示部を有し、前記換気運転及び前記乾燥運転の操作が可能な操作部を備え、
前記演算部は、前記第１測定部における絶対湿度及び前記第２測定部における絶対湿度に基づいて前記浴室内の乾燥対象物の乾燥率を推定可能であり、
前記操作部は、前記表示部に前記乾燥率を表示可能に構成されている点にある。
【００１５】
本特徴構成によれば、操作部の表示部において、乾燥対象物の乾燥率を高さ方向に区分けして表示をすることができる。これにより、乾燥運転の際に密閉された浴室に干されている乾燥対象物に直接触れることなく、乾燥対象物の乾燥度合を認定することができる。
【００１６】
本発明に係る浴室暖房乾燥装置の更なる特徴構成は、
前記操作部は、外部ネットワークを介して前記乾燥率のデータを通信端末に対して送信可能に構成されている点にある。
【００１７】
本特徴構成によれば、外部ネットワークを介して浴室暖房乾燥装置の利用者の通信端末に乾燥率のデータが送信することができる。これにより、利用者は、外出先や自宅において浴室から離れた場所から乾燥対象物の乾燥度合を通信端末によって適時確認することができる。
【００１８】
本発明に係る浴室暖房乾燥装置の更なる特徴構成は、
前記換気運転及び前記乾燥運転の運転時間の設定が可能なタイマを備え、
前記制御部は、前記タイマに設定された運転時間内に前記乾燥率に基づいて前記乾燥対象物の乾燥が完了したと判定した場合に、前記換気運転及び前記乾燥運転を停止する点にある。
【００１９】
本特徴構成によれば、タイマ設定時間内に乾燥対象物の乾燥が完了した場合に、浴室暖房乾燥装置の換気運転及び乾燥運転を停止することができる。これにより、浴室暖房乾燥装置は、設定された運転時間よりも早い時間に換気運転及び乾燥運転の停止が可能になるので、浴室暖房乾燥装置の運転効率を高めることができる。その結果、浴室暖房乾燥装置は、換気運転及び乾燥運転において省エネルギーに寄与することができる。
【図面の簡単な説明】
【００２０】
【図１】本発明の実施形態の浴室暖房乾燥装置を浴室に設置した状態を模式的に示す図である。
【図２】本実施形態の浴室暖房乾燥装置の概略構成を示す図である。
【図３】本実施形態の浴室暖房乾燥装置のブロック図である。
【図４】乾燥運転の一例を示すフローチャートである。
【図５】乾燥運転の一例を示すフローチャートである。
【図６】操作部の表示形態の一例を示す図である。
【発明を実施するための形態】
【００２１】
以下、図面に基づいて、本発明に係る浴室暖房乾燥装置Ａの実施形態を説明する。
【００２２】
〔第１実施形態〕
図１〜図３に示すように、浴室暖房乾燥装置Ａは、装置本体Ｍと、装置本体Ｍに加熱した熱媒を循環供給する熱源機Ｇと、浴室暖房乾燥装置Ａの運転を制御する制御部３０を含む制御部３０と、制御部３０に各種制御指令が指示される際に用いられる操作部３１とを備えて構成されている。
【００２３】
操作部３１は、浴室リモコンＲ１、脱衣室リモコンＲ２、また不図示の台所リモコンによって構成されている。浴室リモコンＲ１は浴室Ｂ内に備えられ、脱衣室リモコンＲ２は、浴室Ｂに隣接する脱衣室に備えられる。
【００２４】
図２に示すように、装置本体Ｍは、本体ケース１と、その下方に設けられたパネル２とで構成されている。本体ケース１は、下方が略全体にわたって開口した概ね直方体形状の箱状のケースによって構成される。パネル２は、本体ケース１の下方の開口を塞ぐ状態で装備されている。パネル２には空気の吸入口３及び吹出口４（第１送風口の一例）が形成されている。吸入口３にはフィルター部１９が着脱自在に設けられている。
【００２５】
本体ケース１内には、循環ファン６（送風部の一例）、排気ファン７、暖房用熱交換器９（加熱部の一例）等が装備されている。循環ファン６は、浴室Ｂ内の空間に面する吸入口３から吸い込んだ空気を、同じく浴室Ｂ内の空間に面する吹出口４から吹き出すように通風作用する。排気ファン７は、ダクト接続部Ｅ（図１）を介して吸入口３から吸い込んだ空気を本体ケース１外に排出する。暖房用熱交換器９は、循環ファン６により通風される空気を熱源機Ｇからの熱媒循環路８を通して循環供給される熱媒にて加熱する。
【００２６】
図２に示すように、本体ケース１の内部に、中抜き矢印にて示す如く吸入口３を通して浴室Ｂ内の空気を吸い込んで吹出口４を通して吹き出すための循環通風路１８（第１風路の一例）が、導風板１６により区画形成されている。循環通風路１８は、導風板１６により、本体ケース１の内部における排気口１３が臨む空間部分と区画されている。そして、循環通風路１８内に、循環ファン６が、吸入口３に吸込み作用すると共に、吸入口３から吸い込んだ空気を吹出口４に向けて吐出するように通風作用する状態で設けられている。
【００２７】
本体ケース１の内部において吸入口３の近傍には、温湿度及び大気圧を測定する第１測定部３ａが設けられている。また、本体ケース１の内部において吹出口４の近傍には、温湿度及び大気圧を測定する第３測定部４ｂが設けられている。
【００２８】
浴室Ｂの側壁Ｗにおいて吹出口４よりも下方に配置されて高さの異なる複数の第２送風口２０（本実施形態では３つの送風口２１，２２，２３）が形成されている。本体ケース１と送風口２１，２２，２３との間には、循環ファン６から送風口２１，２２，２３に向けて送風するための送風路２４（第２風路の一例）が形成されている。送風路２４は、上流側が本体ケース１に貫通した状態で設けられている。３つの送風口２１、２２、２３は、送風路２４の下流側において分岐した状態で形成されている。
【００２９】
送風路２４には、第２風路開閉機構２５が設けられている。第２風路開閉機構２５は、送風路２４の上流側に配置された風路開閉機構２６と、送風口２１、２２、２３の夫々に設けられた送風口開閉機構２１ａ，２２ａ，２３ａによって構成されている。送風口２１、２２、２３は、浴室Ｂの側壁Ｗにおいて上下方向に並設されており、上方側から送風口２１、送風口２２、送風口２３の順に設けられている。送風口２１、２２、２３には、送風口開閉機構２１ａ，２２ａ，２３ａと、温湿度及び大気圧を測定する第２測定部２１ｂ、２２ｂ，２３ｂが、夫々設けられている。
【００３０】
暖房用熱交換器９が、循環通風路１８内における循環ファン６よりも通風方向上流側に設けられて、熱源機Ｇから循環供給される熱媒との熱交換により、吸入口３を介して吸引されて循環通風路１８内を通風する空気を加熱するよう構成されている。ちなみに、暖房用熱交換器９は、一対の熱交換器部分にて構成され、これら一対の熱交換部分が正面視でＬ字状に配設されている。つまり、循環ファン６の通風作用により、吸入口３を通して吸い込まれた浴室Ｂ内の空気が、暖房用熱交換器９にて加熱された後、吹出口４を通して浴室Ｂ内に吹き出されるように構成されている。これにより、浴室Ｂ内を暖房して浴室Ｂ内に干された乾燥対象物（衣類２８等）を乾燥させる乾燥運転が行われる。乾燥運転の際には、第１風路開閉機構４ａの第２風路開閉機構２５の少なくとも一方が開状態となっており、浴室Ｂ内から吸入した空気を加熱して浴室Ｂ内の乾燥対象物を乾燥させるために浴室Ｂ内に送風する。
【００３１】
また、吹出口４には、第１風路開閉機構４ａとして例えば電動モータ（図示省略）により揺動駆動される可動ルーバ等が設けられている。第１風路開閉機構４ａの揺動動作によって、吹出口４が開閉制御されて浴室Ｂ内に供給される空気の風向及び風量が変更されるように構成されている。
【００３２】
排気ファン７が、本体ケース１の内部において、排気口１３が形成された内側面と導風板１６との間の部分に設けられたファンケース７ｃ内に設けられている。また、排気ファン７を回転駆動する電動モータ７ｂがファンケース７ｃの上面に配置されている。また、図示を省略するが、排気口１３が形成された内側面と導風板１６との間の排気ファン７が配設された空間部分は、循環通風路１８内における暖房用熱交換器９よりも通風方向上流側の部分に連通するように構成されている。
【００３３】
循環ファン６が作動されている状態で、排気ファン７が作動されると、循環ファン６の通風作用により浴室Ｂから吸い込まれた空気の一部が、暖房用熱交換器９により加熱される前に排気ファン７の通風作用により分流される。そして、それに伴う風圧により排気口シャッタ１７が開かれて、分流された空気が排気口１３から排気導風ボックス１４及び排気ダクト５を通して屋外に排出される換気運転が乾燥運転と並行される。又、循環ファン６が停止されている状態で、排気ファン７が作動されると、排気ファン７の通風作用により浴室Ｂ内の空気が吸入口３を通して吸い込まれる。そして、それに伴う風圧により排気口シャッタ１７が開かれて、浴室Ｂ内の空気が排気口１３から排気導風ボックス１４及び排気ダクト５を通して屋外に排出される換気運転が行われる。これらの換気運転及び乾燥運転は、浴室リモコンＲ１及び脱衣室リモコンＲ２からの指令により実施される。
【００３４】
制御部３０は、循環ファン６、排気ファン７、暖房用熱交換器９の動作、第１風路開閉機構４ａ、第２風路開閉機構２５、送風口開閉機構２１ａ〜２３ａを制御することで、乾燥運転や換気運転等の各種制御を実行する。制御部３０は、第１測定部３ａ、第２測定部２１ｂ〜２３ｂ、第３測定部４ｂから温度情報、湿度情報、大気圧情報を取得して各種の制御に用いる。
【００３５】
浴室Ｂにおいて洗濯物を乾燥させる際には、パネル２の直下に物干しバー２７が設置され、物干しバー２７に乾燥対象物としての衣類２８が吊り下げられる。本実施形態においては、制御部３０が、浴室Ｂ内の衣類２８の乾燥度合を把握するための指標として、乾燥対象物である衣類２８の乾燥率Ｄを用いる。乾燥率Ｄは、乾燥運転の実行直前において衣類２８に含まれる水分のうち、衣類２８から蒸発した水分の割合を示す。
【００３６】
乾燥率Ｄは、乾燥前後で衣類２８の重量を計測することで直接求めることができるが、本実施形態においては、浴室Ｂの吸入口３の絶対湿度と、吹出口４や送風口２１〜２３の絶対湿度との差に基づいて乾燥率Ｄを間接的に求める構成としている。
【００３７】
具体的には、乾燥率Ｄの推定にあたり、浴室暖房乾燥装置Ａには、演算部４０として、絶対湿度算出手段４１及び乾燥率推定手段４２が備えられる。絶対湿度算出手段４１は、第１測定部３ａ、第２測定部２１ｂ〜２３ｂ、第３測定部４ｂにより計測した浴室Ｂ内の温湿度及び大気圧に基づいて、浴室Ｂ内の各測定部における絶対湿度Ｈａを算出する。絶対湿度算出手段４１は例えば、１分ごとに絶対湿度Ｈａを算出するように構成される。
【００３８】
乾燥率推定手段４２は、絶対湿度算出手段４１により逐次算出された絶対湿度Ｈａを入力として受け取り、入力された絶対湿度Ｈａから、衣類２８の乾燥率Ｄを推定するように構成される。具体的には、第１測定部３ａにおける第１絶対湿度Ｈａ１と第３測定部４ｂにおける第３絶対湿度Ｈａ３との差に基づいて、浴室Ｂの吹出口４近くにおける衣類２８の乾燥率Ｄを推定し、第１測定部３ａにおける第１絶対湿度Ｈａ１と第２測定部２１ｂ〜２３ｂにおける第２絶対湿度Ｈａ２との差に基づいて、浴室Ｂの送風口２１〜２３近くにおける衣類２８の乾燥率Ｄを推定する。なお、演算部４０は制御部３０に含まれる形で構成されていてもよい。
【００３９】
２つの測定部（例えば第１測定部３ａと第２測定部２１ｂ〜２３ｂ）における絶対湿度Ｈａの差と乾燥率Ｄとの対応関係は、あらかじめ統計に基づいて定められた所定値Ｙに基づいて決定しておくと良い。乾燥率推定手段４２は、例えば、乾燥率Ｄ（乾燥指標）として、２つの絶対湿度Ｈａの差が０．５ｇ／ｋｇ（所定値Ｙの一例）未満のときに乾燥完了と推定し、２つの絶対湿度Ｈａの差が０．５ｇ／ｋｇ（所定値Ｙの一例）以上のときに乾燥未完了と推定する。乾燥率Ｄ（乾燥指標）は、計測当初の２つの絶対湿度Ｈａの差を基準にして０％に設定し、０．５ｇ／ｋｇ未満になった時点を１００％に設定することで現況をパーセント表示するようにしてもよい。
【００４０】
以下では、制御部３０によって制御される吹出口４（第１送風口）からの送風動作と、送風口２１〜２３（第２送風口２０）からの送風動作について図４及び図５に基づいて説明する。図４は、乾燥運転が開始された直後の送風動作に係るフローチャートである。図５は、乾燥運転において、第２送風口２０の送風口２１からの送風が開始された後の送風動作に係るフローチャートである。
【００４１】
図４に示す乾燥運転における送風動作では、ステップ＃１において、吹出口４の第１風路開閉機構４ａが開状態になり、送風路２４の第２風路開閉機構２５の風路開閉機構２６が閉状態となる。これにより、循環ファン６、吸入口３、吹出口４等による浴室Ｂ内の空気の循環が開始され、第２送風口２０からの送風は停止される。（ステップ＃２）。なお、送風口開閉機構２１ａ，２２ａ、２３ａはいずれも閉状態である。
【００４２】
ステップ＃３において、第１測定部３ａによる温度Ｔ１、湿度Ｈ１、大気圧Ｐ１の測定が実行され、第３測定部４ｂによる温度Ｔ３、湿度Ｈ３、大気圧Ｐ３の測定が実行される。ステップ＃４において、絶対湿度算出手段４１によって第１測定部３ａにおける第１絶対湿度Ｈａ１が算出され、第３測定部４ｂにおける第３絶対湿度Ｈａ３が算出される。
【００４３】
ステップ＃５において、乾燥率推定手段４２（または制御部３０）によって、第１絶対湿度Ｈａ１と第３絶対湿度Ｈａ３との差が所定値Ｙ未満であるか否かが判定される。ステップ＃５において「Ｈａ１−Ｈａ３＜Ｙ（所定値）」が成立（Ｙｅｓ）すれば、第１風路開閉機構４ａを閉状態にし、第２風路開閉機構２５のうち風路開閉機構２６と送風口開閉機構２１ａとを開状態にし、送風口開閉機構２２ａ、２３ａは閉状態を維持する（ステップ＃６）。これにより、吹出口４からの送風が停止され、第２送風口２０のうち最も上方の送風口２１からの送風が実行される（ステップ＃７）。
【００４４】
ステップ＃５において、第１絶対湿度Ｈａ１と第３絶対湿度Ｈａ３との差が所定値Ｙ以上（Ｎｏ）であれば、ステップ＃４に戻る。
【００４５】
図５に示す乾燥運転における送風動作では、ステップ＃１１において、第１風路開閉機構４ａが閉状態になり、第２風路開閉機構２５の風路開閉機構２６が開状態になる。また、送風口２１〜２３においては、最も上方に位置する送風口２１の送風口開閉機構２１ａが開状態になり、他の送風口２２，２３の送風口開閉機構２２ａ、２３ａは閉状態になる。すなわち、複数の送風口２１〜２３において高さ方向に隣接する送風口２１〜２３のうち最も上方側の送風口２１による浴室Ｂ内への空気の供給と、吸入口３による浴室Ｂ内の空気の吸入とが実行され、吹出口４からの浴室Ｂ内への空気の供給が停止されている（ステップ＃１２）。
【００４６】
ステップ＃１３において、第１測定部３ａにおいて温度Ｔ１、湿度Ｈ１、大気圧Ｐ１の測定が実行され、送風口２１の第２測定部２１ｂにおいて温度Ｔ２１、湿度Ｈ２１、大気圧Ｐ２１の測定が実行される。ステップ＃１４において、絶対湿度算出手段４１によって第１測定部３ａにおける第１絶対湿度Ｈａ１が算出され、第２測定部２１ｂにおける第２絶対湿度Ｈａ２１が算出される。
【００４７】
ステップ＃１５において、乾燥率推定手段４２（または制御部３０）によって、第１絶対湿度Ｈａ１と第２絶対湿度Ｈａ２１との差が所定値Ｙ未満であるか否かが判定される。ステップ＃１５において「Ｈａ１−Ｈａ２１＜Ｙ（所定値）」が成立（Ｙｅｓ）すれば、送風口開閉機構２１ａを閉状態にして送風口開閉機構２２ａを開状態にする（ステップ＃１６）。これにより、送風口２１からの送風が停止され、送風口２１の下方側の送風口２２からの送風が実行される（ステップ＃１７）。
【００４８】
ステップ＃１５において、第１絶対湿度Ｈａ１と第２絶対湿度Ｈａ２１との差が所定値Ｙ以上（Ｎｏ）であれば、ステップ＃１２に戻り、第１測定部３ａ及び第２測定部２１ｂにおいて再び温度、湿度、大気圧が夫々測定される。
【００４９】
なお、図示しないが、ステップ＃１６によって送風口２２から送風が開始された後は、図５のステップ＃１１における送風口２１が送風口２２に置き換わった形で、図５と同様のフローが行われる。その後、送風口２２の下方側に位置する送風口２３から送風が行われている状態において、図５のステップ＃１５に相当するステップ（不図示）で、「Ｈａ１−Ｈａ２３（測定部２３ｂにおける第２絶対湿度）＜Ｙ」が成立（Ｙｅｓ）すれば、乾燥運転が終了する。
【００５０】
図６に示すように、操作部３１のリモコンＲ１、Ｒ２には、乾燥率Ｄを表示できる表示部３２を有している。表示部３２は、各測定部３ａ、２１ｂ〜２３ｂの乾燥率Ｄに基づいて、例えば浴室Ｂの区域（上方、中間、下方）毎の乾燥度合を表示可能に構成されている。これにより、衣類２８の乾燥状況を容易に把握することができる。なお、図６に示す表示部３２における乾燥度合の表示形態は一例であって、各測定部３ａ、２１ｂ〜２３ｂ毎に表示する形態や、乾燥率Ｄをパーセント表示する形態等、他の表示形態であってもよい。
【００５１】
本実施形態では、図３に示すように、脱衣室リモコンＲ２は、浴室暖房乾燥装置Ａを有する宅内に設置された外部ネットワークとの中継器（宅内ルータ５０）と通信可能に構成され、宅内ルータ５０を介して利用者が通信端末５１で指示した各種制御指令を制御部３０に伝えるよう構成されている。また、脱衣室リモコンＲ２は、宅内ルータ５０を介して制御部３０のデータ（例えば乾燥率Ｄのデータ等）を送信可能に構成されている。
【００５２】
脱衣室リモコンＲ２は、外部ネットワークを介して通信端末５１と通信可能に構成されている。これにより、利用者が通信端末５１から脱衣室リモコンＲ２を介して各種制御指令を制御部３０に伝達することができる。また、脱衣室リモコンＲ２から利用者の通信端末５１に乾燥率Ｄのデータが送信されることで、利用者は自宅において浴室Ｂから離れた場所や外出先から乾燥対象物の乾燥状態を通信端末５１で適時確認することができる。
【００５３】
図３に示すように、制御部３０は、換気運転及び乾燥運転の運転時間の設定が可能なタイマ３３を備える。操作部３１は、制御部３０のタイマ３３に対して換気運転及び乾燥運転の運転時間を設定することができる。ただし、制御部３０は、設定された運転時間の経過前において、各測定部３ａ、４ｂ、２１ｂ〜２３ｂにおける絶対湿度Ｈａから推定される乾燥率Ｄに基づいて乾燥対象物の乾燥が完了したと判定した場合には、換気運転及び乾燥運転を停止する制御を行う制御モードを有する。この制御モードを選択することで、浴室暖房乾燥装置Ａは、設定された運転時間よりも早い時間に換気運転及び乾燥運転の停止が可能になる。これにより、浴室暖房乾燥装置Ａの運転効率を高めることができる。その結果、浴室暖房乾燥装置Ａは、換気運転及び乾燥運転において省エネルギーに寄与することができる。
【００５４】
〔別実施形態〕
最後に、本発明の別実施形態について説明する。尚、以下に説明する各実施形態の構成は、夫々単独で適用されるものに限られず、矛盾が生じない限り、他の実施形態の構成と組み合わせて適用することも可能である。
（１）上記実施形態では、吹出口４の近傍に第３測定部４ｂを設けて、吸入口３の第１測定部３ａにおける第１絶対湿度Ｈａ１と吹出口４の第３測定部４ｂにおける第３絶対湿度Ｈａ３との差に基づいて、吹出口４近くの衣類２８（乾燥対象物）の乾燥率Ｄを推定した。これに代えて、第１測定部３ａの第１絶対湿度Ｈａ１の所定時間の変化率に基づいて吹出口４近くの衣類２８（乾燥対象物）の乾燥率Ｄを推定してもよい。この場合には、図４に示すステップ＃５における判断条件は、「Ｈａ１ｔ１−Ｈａ１ｔ２＜Y（所定値）」となる。ここで、Ｈａ１ｔ１は、時間ｔ１における第１絶対湿度Ｈａ１であり、Ｈａ１ｔ２は、時間ｔ２（時間ｔ１から所定時間後）における第１絶対湿度Ｈａ１である。この別実施形態の場合には、吹出口４の近傍に第３測定部４ｂを設けずに浴室暖房乾燥装置Ａを構成してもよい。
【００５５】
（２）上記実施形態では、吹出口４、及び、送風口２１〜２３のうち、いずれか１つから送風する例を示したが、吹出口４と、送風口２１〜２３の１つまたは複数を同時に開状態にして送風してもよい。その他、吹出口４は閉状態にして、送風口２１〜２３のうち複数を開状態にして送風してもよい。
【００５６】
（３）上記実施形態では、浴室Ｂの側壁Ｗにおいて上下方向に３つの送風口２１〜２３を並設する例を示したが、第２送風口２０は、１つ、２つ、４つ以上であってもよい。また、上記実施形態では、第２送風口２０を浴室Ｂの側壁Ｗの１つに設ける例を示したが、第２送風口２０は浴室Ｂにおいて複数の側壁Ｗに設けてもよい。
【００５７】
（４）上記実施形態においては、脱衣室リモコンＲ２が、利用者が外出先などから利用可能な通信端末５１と通信可能に構成される場合の一例を示したが、浴室リモコンＲ１等の他のリモコンが通信端末５１と通信可能であってもよい。また、脱衣室リモコンＲ２等の操作部３１は、宅内ルータ５０を介さずに通信端末５１と通信可能に構成されていてもよい。また、脱衣室リモコンＲ２等の操作部３１は、通信端末５１と通信を行わない構成としても構わない。
【００５８】
また、上記実施形態においては、浴室リモコンＲ１及び脱衣室リモコンＲ２を介して制御部３０に入力する構成の一例を示したが、熱源機Ｇや台所に設けられる台所リモコン（不図示）を介して制御部３０に入力する構成でもよい。
【符号の説明】
【００５９】
１        ：本体ケース
２        ：パネル
３        ：吸入口
３ａ      ：第１測定部
４        ：吹出口
４ａ      ：第１風路開閉機構
４ｂ      ：第３測定部
６        ：循環ファン
７        ：排気ファン
９        ：暖房用熱交換器
１３      ：排気口
１８      ：循環通風路（第１風路）
２０      ：第２送風口
２１，２２，２３：送風口
２１ａ，２２ａ，２３ａ：送風口開閉機構（第２風路開閉機構）
２１ｂ，２２ｂ，２３ｂ：第２測定部
２４      ：送風路
２５      ：第２風路開閉機構
３０      ：制御部
３１      ：操作部
３２      ：表示部
３３      ：タイマ
４０      ：演算部
４１      ：絶対湿度算出手段
４２      ：乾燥率推定手段
５０      ：宅内ルータ
５１      ：通信端末
Ａ        ：浴室暖房乾燥装置
Ｂ        ：浴室
Ｄ        ：乾燥率
Ｇ        ：熱源機
Ｈａ      ：絶対湿度
Ｍ        ：装置本体
Ｒ１，Ｒ２：リモコン
Ｗ        ：側壁
Ｙ        ：所定値
【図１】
2020151098.tif 000003
【図２】
2020151098.tif 000004
【図３】
2020151098.tif 000005
【図４】
2020151098.tif 000006
【図５】
2020151098.tif 000007
【図６】
2020151098.tif 000008